【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
ネットワークに接続された文書処理装置において、
文書ファイル内で使用している書体に対応する書体データが存在するネットワーク上の場所を文書ファイル中に記憶する記憶手段と、
文書ファイル内で使用している書体が装置に登録されているか否かを判定する登録判定手段と、
前記登録判定手段によって装置に前記書体が登録されていないと判定された場合に、前記文書ファイル中に記憶されているネットワーク上の場所から書体データを受信する受信手段と、
前記受信手段で受信した書体データを使用可能な書体として装置に登録する登録手段とを備えたことを特徴とする文書処理装置。
【請求項２】
前記記憶手段は、前記書体データが存在するネットワーク上の場所を文書ファイル中に複数記憶する手段であり、
前記文書ファイル中に記憶された各ネットワーク上の場所に接続可能か否かを判定する接続判定手段と、前記接続判定手段で判定された接続可能なネットワーク上の場所のうち最新の書体データが存在する場所を検索する検索手段とを設け、
前記受信手段は、前記登録判定手段によって前記書体が装置に登録されていないと判定された場合に、前記検索手段で検索されたネットワーク上の場所から最新の書体データを受信することを特徴とする請求項１記載の文書処理装置。
【請求項３】
文書ファイル内で使用している書体に対応する書体データを文書ファイル中に記憶する書体データ記憶手段と、
処理しようとしている書体に対応する書体データが文書ファイル中に記憶されているか否かを判定する書体データ存否判定手段とを有し、
前記書体データ存否判定手段によって文書ファイル中に書体データが記憶されていると判定された書体は該文書ファイル中の書体データを使用して処理することを特徴とする請求項１又は２記載の文書処理装置。
【請求項４】
前記登録手段によって装置に登録された書体を記憶する書体記憶手段と、前記書体記憶手段によって記憶された書体の登録を文書処理終了時に解除する登録解除手段とを備えたことを特徴とする請求項１乃至３記載の文書処理装置。
【請求項５】
無条件にネットワーク上の場所から書体データを受信するか否かを指定する指定手段を有し、
前記登録判定手段によって前記書体が装置に登録されていないと判定され、且つ前記指定手段により無条件に受信することが指定された場合には、前記受信手段により、文書ファイル中に書体データが記憶されているか否かにかかわらず、該文書ファイル中に記憶されているネットワーク上の場所から書体データを受信することを特徴とする請求項３記載の文書処理装置。
【請求項６】
ネットワークに接続された文書処理装置の制御方法において、
文書ファイル内で使用している書体が装置に登録されているか否かを判定する登録判定行程と、
前記登録判定行程によって装置に前記書体が登録されていないと判定された場合に、前記文書ファイル中に記憶されているネットワーク上の場所から書体データを受信する受信行程と、
前記受信行程で受信した書体データを使用可能な書体として装置に登録する登録行程とを有することを特徴とする文書処理装置の制御方法。
【請求項７】
前記文書ファイルには、前記書体データが存在するネットワーク上の場所を複数記憶され、
前記文書ファイル中に記憶された各ネットワーク上の場所に接続可能か否かを判定する接続判定行程と、前記接続判定行程で判定された接続可能なネットワーク上の場所のうち最新の書体データが存在する場所を検索する検索行程とを行い、
前記登録判定行程によって前記書体が装置に登録されていないと判定された場合に、前記検索行程で検索されたネットワーク上の場所から最新の書体データを受信することを特徴とする請求項６記載の文書処理装置の制御方法。
【請求項８】
文書ファイル内で使用している書体に対応する書体データを文書ファイル中に記憶する書体データ記憶行程と、処理しようとしている書体に対応する書体データが文書ファイル中に記憶されているか否かを判定する書体データ存否判定行程とを実行し、
前記書体データ存否判定行程によって文書ファイル中に書体データが記憶されていると判定された書体は該文書ファイル中の書体データを使用して処理することを特徴とする請求項６又は７記載の文書処理装置の制御方法。
【請求項９】
前記登録行程によって装置に登録された書体を記憶する書体記憶行程と、前記書体記憶行程によって記憶された書体の登録を文書処理終了時に解除する登録解除行程とを有することを特徴とする請求項６乃至８記載の文書処理装置の制御方法。
【請求項１０】
無条件にネットワーク上の場所から書体データを受信するか否かを指定する指定行程を実行し、
前記登録判定行程によって前記書体が装置に登録されていないと判定され、且つ前記指定行程により無条件に受信することが指定された場合には、文書ファイル中に書体データが記憶されているか否かにかかわらず、該文書ファイル中に記憶されているネットワーク上の場所から書体データを受信することを特徴とする請求項８記載の文書処理装置の制御方法。
【請求項１１】
ネットワークに接続された文書処理装置の制御方法を実行するための制御プログラムであって、
文書ファイル内で使用している書体が装置に登録されているか否かを判定する登録判定ステップと、
前記登録判定ステップによって装置に前記書体が登録されていないと判定された場合に、前記文書ファイル中に記憶されているネットワーク上の場所から書体データを受信する受信ステップと、
前記受信ステップで受信した書体データを使用可能な書体として装置に登録する登録ステップとを備えたことを特徴とする制御プログラム。
【請求項１２】
前記文書ファイルには、前記書体データが存在するネットワーク上の場所が複数記憶され、
さらに、前記文書ファイル中に記憶された各ネットワーク上の場所に接続可能か否かを判定する接続判定ステップと、前記接続判定ステップで判定された接続可能なネットワーク上の場所のうち最新の書体データが存在する場所を検索する検索ステップとを設け、
前記受信ステップは、前記登録判定ステップによって前記書体が装置に登録されていないと判定された場合に、前記検索ステップで検索されたネットワーク上の場所から最新の書体データを受信する内容であることを特徴とする請求項１１記載の制御プログラム。
【請求項１３】
文書ファイル内で使用している書体に対応する書体データを文書ファイル中に記憶する書体データ記憶ステップと、処理しようとしている書体に対応する書体データが文書ファイル中に記憶されているか否かを判定する書体データ存否判定ステップとを有し、
前記書体データ存否判定ステップによって文書ファイル中に書体データが記憶されていると判定された書体は該文書ファイル中の書体データを使用して処理することを特徴とする請求項１１又は１２記載の制御プログラム。
【請求項１４】
前記登録ステップによって装置に登録された書体を記憶する書体記憶ステップと、前記書体記憶ステップによって記憶された書体の登録を文書処理終了時に解除する登録解除ステップとを備えたことを特徴とする請求項１１乃至１３記載の制御プログラム。
【請求項１５】
無条件にネットワーク上の場所から書体データを受信するか否かを指定する指定ステップを有し、
前記登録判定ステップによって前記書体が装置に登録されていないと判定され、且つ前記指定ステップにより無条件に受信することが指定された場合には、前記受信ステップにより、文書ファイル中に書体データが記憶されているか否かにかかわらず、該文書ファイル中に記憶されているネットワーク上の場所から書体データを受信することを特徴とする請求項１３記載の制御プログラム。
【手続補正２】
【補正対象書類名】明細書
【補正対象項目名】０００７
【補正方法】変更
【補正の内容】
【０００７】
本発明の文書処理装置の制御方法では、ネットワークに接続された文書処理装置の制御方法において、文書ファイル内で使用している書体が装置に登録されているか否かを判定する登録判定行程と、前記登録判定行程によって装置に前記書体が登録されていないと判定された場合に、前記文書ファイル中に記憶されているネットワーク上の場所から書体データを受信する受信行程と、前記受信行程で受信した書体データを使用可能な書体として装置に登録する登録行程とを有することを特徴とする。
【手続補正３】
【補正対象書類名】明細書
【補正対象項目名】０００８
【補正方法】変更
【補正の内容】
【０００８】
本発明の制御プログラムでは、ネットワークに接続された文書処理装置の制御方法を実行するための制御プログラムであって、文書ファイル内で使用している書体が装置に登録されているか否かを判定する登録判定ステップと、前記登録判定ステップによって装置に前記書体が登録されていないと判定された場合に、前記文書ファイル中に記憶されているネットワーク上の場所から書体データを受信する受信ステップと、前記受信ステップで受信した書体データを使用可能な書体として装置に登録する登録ステップとを備えたことを特徴とする。